(57)【要約】【課題】表示変更が容易であるとともに、表示変更に伴うコストの削減が可能なスポーツ練習具を提供する。【解決手段】スポーツ練習具１は、表示部３の外周面３１が情報表示面を構成し、当該表示部３が、気体が注入されることにより膨張し柱状となる袋体に構成される本体部２の側面２５に巻き付けられて支持される。【選択図】図１
2017164449.tif 000002
【特許請求の範囲】
【請求項１】
スポーツの練習に用いられるスポーツ練習具であって、
気体が注入されることにより膨張し柱状となる袋体に構成される本体部と、
外周面が情報表示面を構成し、前記本体部に巻き付けられて支持される無端帯状の表示部と、
を備えることを特徴とするスポーツ練習具。
【請求項２】
前記本体部に気体が注入された状態で水平面に載置された場合、長さ方向が前記水平面に対し略垂直となるように、前記本体部の長さ方向の底部側に重心を有することを特徴とする請求項１に記載のスポーツ練習具。
【請求項３】
前記本体部の下側を覆うように取り付けられるカバーを備えることを特徴とする請求項２に記載のスポーツ練習具。
【請求項４】
前記カバーが、ターポリン製であることを特徴とする請求項３に記載のスポーツ練習具。
【請求項５】
前記カバーが、前記本体部の側面を覆う側面部を有し、
前記側面部が、一対の把持部を備えることを特徴とする請求項３又は４に記載のスポーツ練習具。
【請求項６】
前記カバーの厚みが、０．２ｍｍ以上０．４ｍｍ以下であることを特徴とする請求項３から５のいずれか一項に記載のスポーツ練習具。
【請求項７】
前記カバーが、前記本体部の長さ方向の底部と対向する面に配される錘部を備えることを特徴とする請求項３から６のいずれか一項に記載のスポーツ練習具。
【請求項８】
前記錘部が、前記カバーに着脱可能に設けられたことを特徴とする請求項７に記載のスポーツ練習具。
【発明の詳細な説明】
【技術分野】
【０００１】
本発明は、スポーツの練習に用いられるスポーツ練習具に関する。
【背景技術】
【０００２】
従来、スポーツの練習に用いられるトレーニング用バルーンが知られている。トレーニング用バルーンは、内部に存する気体により人型に形成され、バルーン内下部に内蔵された錘によりグランドに自立可能に形成されている。このようなトレーニング用バルーンはグラウンドに並べられて、それを練習相手とみなして、例えばサッカーにおいてはドリブルの練習や、フリーキックの練習に用いられている。
【０００３】
また、トレーニング用バルーンは、スポーツチームのチーム名やエンブレム、チームのスポンサーの企業名やロゴマーク等の広告が表面に印刷されることで、広告としての役割も果している。
【発明の概要】
【発明が解決しようとする課題】
【０００４】
しかしながら、トレーニング用バルーンの生地の表面に広告等の情報表示を直接印刷してしまうと、表示内容を変更する際にトレーニング用バルーンごと新しいものに交換しなければならずコストが高くなるという問題があった。
【０００５】
本発明の目的は、表示変更が容易であるとともに、表示変更に伴うコストの削減が可能なスポーツ練習具を提供することにある。
【課題を解決するための手段】
【０００６】
上記目的を解決するために本発明は以下の構成を備える。
即ち、請求項１に記載の本発明は、スポーツの練習に用いられるスポーツ練習具であって、気体が注入されることにより膨張し柱状となる袋体に構成される本体部と、外周面が情報表示面を構成し、前記本体部に巻き付けられて支持される無端帯状の表示部と、を備えることを特徴とするスポーツ練習具である。
【０００７】
請求項２に記載された発明は、請求項１に記載のスポーツ練習具において、前記本体部に気体が注入された状態で水平面に載置された場合、長さ方向が前記水平面に対し略垂直となるように、前記本体部の長さ方向の底部側に重心を有することを特徴としている。
【０００８】
請求項３に記載された発明は、請求項２に記載のスポーツ練習具において、前記本体部の下側を覆うように取り付けられるカバーを備えることを特徴としている。
【０００９】
請求項４に記載された発明は、請求項３に記載のスポーツ練習具において、前記カバーが、ターポリン製であることを特徴としている。
【００１０】
請求項５に記載された発明は、請求項３又は４に記載のスポーツ練習具において、前記カバーが、前記本体部の側面を覆う側面部を有し、前記側面部が、一対の把持部を備えることを特徴としている。
【００１１】
請求項６に記載された発明は、請求項３から５のいずれか一項に記載のスポーツ練習具において、前記カバーの厚みが、０．２ｍｍ以上０．４ｍｍ以下であることを特徴としている。
【００１２】
請求項７に記載された発明は、請求項３から６のいずれか一項に記載のスポーツ練習具において、前記カバーが、前記本体部の長さ方向の底部と対向する面に配される錘部を備えることを特徴としている。
【００１３】
請求項８に記載された発明は、請求項７に記載のスポーツ練習具において、前記錘部が、前記カバーに着脱可能に設けられたことを特徴としている。
【発明の効果】
【００１４】
本発明のスポーツ練習具によれば、表示部の外周面が情報表示面を構成し、当該表示部が、気体が注入されることにより膨張し柱状となる袋体に構成される本体部に巻き付けられて支持される。このような構成により、表示部の取り付け及び取り外しが容易となり、また、本体部は変えずに、表示部のみを変更することで表示する情報を変更することができる。したがって、表示の変更が容易であるとともに、表示する情報の変更に伴い本体部ごと交換する必要がないため、表示する情報の変更に伴うコストを削減することができる。
【図面の簡単な説明】
【００１５】
【図１】本発明の第１実施形態に係るスポーツ練習具を示す正面図である。
【図２】図１のスポーツ練習具の矢視I−I線断面図である。
【図３】図１のスポーツ練習具の底面を示す図である。
【図４】本発明の第２実施形態に係るスポーツ練習具を示す正面図である。
【図５】図４のスポーツ練習具が備えるカバーを示す図である。
【図６】カバーに取り付けられる把持部を示した図である。
【図７】本発明の他の実施形態に係るスポーツ練習具を示す正面図である。
【図８】従来のスポーツ練習具を示す構成図である。
【発明を実施するための形態】
【００１６】
〔第１実施形態〕
以下、本発明の第１実施形態に係るスポーツ練習具を、図１から図３を参照して説明する。図１は、本実施形態に係るスポーツ練習具１を示す正面図である。図２は、図１の矢視Ｉ−Ｉ線断面図である。図３は、スポーツ練習具１の底面を示す図である。なお、図１及び図２において、スポーツ練習具１の長さ方向が垂直方向となっており、正面視で上側が上、正面視で下側が下となっている。
【００１７】
スポーツ練習具１は、図１に示すように、気体が注入されることにより膨張し柱状となる袋体に構成される本体部２と、本体部２に巻き付けられて支持される表示部３と、を備えている。スポーツ練習具１は、膨張させた本体部２に表示部３を巻き付けて使用され、本体部２に気体が注入された状態で、グラウンドなどの水平面に載置された場合に、長さ方向がグラウンド（水平面）に対し略垂直となるように構成されており、倒したり傾斜させた場合でもすぐに直立姿勢に戻るように構成されている。スポーツ練習具１は、例えば、サッカー、ラグビー、バスケ等の練習に使用される。スポーツ練習具１を、例えばサッカーの練習に使用する場合には、スポーツ練習具１をグラウンドに並べて、当該スポーツ練習具１を練習相手と見立ててドリブルやフリーキックの練習に用いることができる。また、例えば、ラグビーの練習においてはタックル等の練習に用いることができ、バスケットの練習においてはドリブル等の練習に用いることができる。
【００１８】
本体部２は、例えば空気等の気体が注入されることにより柱状に膨張する。図１から図３に示すように、本体部２は、膨張後の形状が中空の略円柱形状となる気体封入部２１と、気体封入部２１の内部空間に形成された重心部２２と、を備えて構成されている。なお、「柱状」とは、両端部の太さが等しいものに限られず、太さが異なるものも含まれる。
【００１９】
本体部２の膨張後の高さは、特に限定されることはないが、スポーツ競技における仮想の練習相手として使用されるため、競技者の身長と近いことが好ましく、１６０ｃｍ以上２１０ｃｍ以下の高さに構成されることが好ましい。また、上記と同様の理由から、本体部２の外径は４５ｃｍ以上６５ｃｍ以下に構成されることが好ましい。さらに、例えば、日本の男子サッカーチームの練習において使用される場合には、日本人の成人男性の平均身長に近い高さに設定するなど、使用される環境において適宜変更されることが好ましい。また、上記と同様の理由により、本体部２の外径も、競技者の体格と近いものとなるように設定されることが好ましい。
【００２０】
気体封入部２１は、本体部２の外形を構成しており、内部に存する気体を通過させない、柔軟な可撓性を有する樹脂製のシートにより形成されている。樹脂製のシートとしては、内部に存する気体を通過させない、柔軟な可撓性を有するものであれば特に限定されることはなく、一般的にバルーンの製造に用いられる樹脂製のシートを使用することができる。樹脂製のシートとしては、例えば、ポリ塩化ビニル（ＰＶＣ）製のシートの他、ポリエチレン（ＰＥ）、ポリプロピレン（ＰＰ）、ポリアミド（ＰＡ）、ポリウレタン（ＰＵ）、ポリエステル（ＰＥｓ）、ポリ塩化ビニリデン（ＰＶＤＣ）、エチレン−酢酸ビニル共重合体樹脂、エチレン−アクリル酸エステル共重合体樹脂製のシート等が挙げられる。中でも、耐久性、耐候性、耐衝撃性等に優れることからポリ塩化ビニル製のシートが好ましい。また、樹脂製のシートの表面には、耐久性、耐候性、耐衝撃性などを向上させるために、適宜な薬剤を用いて表面にコーティング処理を施す等してもよい。
【００２１】
気体封入部２１を構成する樹脂製のシートの厚みは、０．１ｍｍ以上０．４ｍｍ以下であることが好ましい。樹脂製のシートの厚みが０．１ｍｍ以上であると、気体封入部２１の耐久性及び耐衝撃性を優れたものとすることができる。また、樹脂製のシートの厚みが０．４ｍｍ以下であると、樹脂製のシートが厚くなることにより生じる、気体封入部２１を折りたたんだ際のサイズが大きくなること、及び、気体封入部２１の重量が増加することを抑制することができる。そのため、スペース効率及び携帯性を優れたものとすることができる。
【００２２】
さらに、気体封入部２１は、その側面２５に貫通孔２６が設けられており、当該貫通孔２６を介して内部に空気が注入され、貫通孔２６が塞がれることにより密封される。当該貫通孔２６を塞ぐ方法は、気体封入部２１と同様の樹脂製の栓を用いて蓋をする等、従来公知の方法を用いることができる。
【００２３】
重心部２２は、気体封入部２１の一方の底部２３側（長さ方向下側の底部）に配されている。重心部２２は、例えば気体封入部２１と同一の素材で形成された、気体封入部２１（底部２３）とは独立した袋体であり、重心部２２の一部を底部２３に圧着させることにより底部２３に固定されている。また、重心部２２は、側面２５とは隙間を設けて配されている。重心部２２は、例えば水等が注入されることによりスポーツ練習具１の錘の役目を果し、これにより本体部２は、その長さ方向（気体封入部２１の長さ方向）の底部２３側に重心を有することとなる。このような構成により、気体封入部２１に気体が注入された状態で、例えばグラウンドなどの水平面に載置された場合、長さ方向が水平面に対し略垂直となる。
【００２４】
また、図２及び図３に示すように、重心部２２及び底部２３には貫通孔２４が形成されており、当該貫通孔２４を介して重心部２２内に例えば水などが注入され、貫通孔２４を塞ぐことにより密封される。当該貫通孔２４を塞ぐ方法は、気体封入部２１と同様の樹脂製の栓を用いて蓋をする等、従来公知の方法を用いることができる。
【００２５】
表示部３は、その外周面３１が情報表示面を構成し、無端帯状に形成されて本体部２に巻き付けられて支持される。ここで、情報表示とは、例えば、スポーツチームのチーム名、スポーツチームのスポンサーの企業名やロゴマーク等の広告や、スポーツ練習具１が使用される自治体名等が挙げられるが、これに限定されることはない。
【００２６】
表示部３は、柔軟な可撓性を有する樹脂製のシートにより形成されている。表示部３を構成する樹脂製のシートとしては、例えばポリ塩化ビニル製のシートの他、ポリエチレン（ＰＥ）、ポリプロピレン（ＰＰ）、ポリアミド（ＰＡ）、ポリウレタン（ＰＵ）、ポリエステル（ＰＥｓ）、ポリ塩化ビニリデン（ＰＶＤＣ）、エチレン−酢酸ビニル共重合体樹脂、エチレン−アクリル酸エステル共重合体樹脂製のシート等が挙げられる。中でも、耐久性、耐候性、耐衝撃性等に優れるポリ塩化ビニル製のシートが好ましい。表示部３は、気体封入部２１と同一の樹脂製シートを用いてもよく、別の樹脂製のシートを用いてもよい。
【００２７】
表示部３はその内周面が、膨張した本体部２の側面２５に対向するように本体部２に巻き付けられ、本体部２の膨張によって、内周面側から押圧されることにより、本体部２の側面２５に支持される。このような表示部３の内径は、膨張した本体部２の外径よりも小さく形成されていることが好ましい。このような構成により、本体部２が膨張した際に、表示部３が本体部２の側面２５に食い込む形となり、より確実に支持されるからである。
【００２８】
次に、本実施形態に係るスポーツ練習具１の組み立て方法について説明する。まず、貫通孔２４を介して重心部２２の内部に水を注入し、重心部２２内が水で満たされたら貫通孔２４を塞ぐ。次に、気体封入部２１の貫通孔２６を介して気体封入部２１内に空気を注入し、気体封入部２１内がやや空気で満たされてきたら、表示部３の内周面と本体部２の側面２５とが対向するように、表示部３に本体部２を挿通する。そして、気体封入部２１内をさらに空気で満たし、本体部２を完全に膨張させ、貫通孔２６を塞ぐ。この時、本体部２は表示部３をその内面側から押圧した状態となっており、表示部３は本体部２の側面２５に巻き付けられて支持された状態となっている。
【００２９】
また、表示部３を取り替える場合には、気体封入部２１内の空気を少し抜き、膨張をやや緩和させることにより、本体部２の表示部３の押圧を緩める。これにより本体部２から表示部３を取り外すことができ、この状態で新たな表示部３を本体部２に挿通させる。その後、再度気体封入部２１に空気を注入し、本体部２が完全に膨張し表示部３を押圧して支持する状態となったら貫通孔２６を塞ぐ。
【００３０】
本実施形態に係るスポーツ練習具１は、表示部３の外周面３１が情報表示面を構成し、当該表示部３が、気体が注入されることにより膨張し柱状となる袋体に構成される本体部２の側面２５に巻き付けられて支持される。そのため、表示部３の取り付け及び取り外しが容易となり、また、本体部２は変えずに、表示部３のみを変更することで表示する情報を変更することができる。従って、表示の変更が容易であるとともに、表示する情報の変更に伴い本体部２ごと交換する必要がないため、表示する情報の変更に伴うコストを削減することができる。
【００３１】
また、本実施形態に係るスポーツ練習具１は、本体部２の膨張による押圧力により、表示部３が本体部２の側面２５に支持される。そのため、表示部３を本体部２に巻きつけて支持するための支持具を必要としないため、支持具のコストを削減することができる。
【００３２】
また、本実施形態に係るスポーツ練習具１は、本体部２が重心部２２を有することにより、本体部２に気体が注入された状態で、グラウンドなどの水平面に載置された場合に、長さ方向がグラウンド（水平面）に対し略垂直となるように構成されている。このような構成により、スポーツ練習具１は、練習によって転倒や傾斜してしまった場合であっても、おきあがり小法師のようにすぐに起き上がり、元の直立姿勢（長さ方向が水平面に対し略垂直）に戻るため、転倒や傾斜により表示部３の情報表示面が周囲から見え辛くなることを抑制することができる。さらに、スポーツ練習具１を再度立て直す手間を省くことができるため、効率よく練習することができる。
【００３３】
また、本実施形態に係るスポーツ練習具１は、本体部２に空気を、重心部２２に水を注入することにより組み立てることが可能であるため、組み立てが容易である。また、本体部２の空気を抜き、重心部２２内の水を抜くことによって、コンパクトに折りたたんで持ち運ぶことが可能であるため、スペース効率及び携帯性にも優れる。
【００３４】
また、本実施形態に係るスポーツ練習具１は、重心部２２が、気体封入部２１（底部２３）とは独立した袋体であり、側面２５とは隙間を設けて配されている。このような構成により、スポーツ練習具１の底面は、重心部２２のうち底部２３との接触部分と底部２３とが重なり合って二重となっており、グラウンドの障害物（例えば小石など）により生じる本体部２の破損の発生を抑制することができるため、スポーツ練習具１の耐久性を向上させることができる。さらに、練習の際に使用者がスポーツ練習具１の下側を踏みつけた場合であっても、重心部２２と側面２５との隙間によって重心部２２にかかる衝撃が緩和されるため、重心部２２の破損を抑制することができる。
【００３５】
〔第２実施形態〕
以下、本発明の第２実施形態に係るスポーツ練習具を、図４から図６を参照して説明する。図４は、本実施形態に係るスポーツ練習具１を示す正面図であり、図５は、本実施形態に係るスポーツ練習具１が備えるカバーを示す図である。なお、図４において、スポーツ練習具１の長さ方向が垂直方向となっており、図の上側が上、図の下側が下となっている。本実施形態に係るスポーツ練習具１は、カバー４を備える点において第１実施形態と異なる。また、図４において、前述した第１実施形態と同一構成部分には、同一符号を付するとともに、上記第１実施形態と同一の構成、動作及び効果に関しては説明を省略する。
【００３６】
カバー４は、例えば、ナイロン樹脂やポリプロピレン樹脂等を用いた繊維の織物の両面にポリ塩化ビニル樹脂を積層して成るターポリン製のシートにより形成された袋状のカバーであり、本体部２の下側を覆うように取り付けられる。カバー４は、本体部２に取り付けられることにより、本体部２の下側を補強する。カバー４は、本体部２に取り付けた際に、本体部２の下側の外形に沿うように形成されており、本体部２の膨張によって、カバー４の内側から押圧されることにより、本体部２の側面２５に支持される。
【００３７】
カバー４は、有底の略円筒形に形成されており、側面部４１と、底面４３と、を有している。側面部４１は、本体部２に取り付けられた際に、側面２５と対向する部分であり、側面２５の下側を補強する。底面４３は、本体部２に取り付けられた際に、底部２３と対向する部分（面）であり、底部２３を補強する。側面部４１の高さは、使用する本体部２の高さにより適宜変更することが好ましく、例えば、側面２５の高さ方向のうち底部２３寄りの１／４以上２／３以下の部分を覆うことが可能な高さであることが好ましい。このような構成により、本体部２の下側をより確実に補強することができるからである。側面部４１の内径は、本体部２の外径と同じかそれよりも小さく形成されていることが好ましい。このような構成により、本体部２が膨張した際に、カバー４が本体部２の側面２５に食い込む形となり、カバー４がより確実に本体部２に支持される。
【００３８】
カバー４の厚みは、０．２ｍｍ以上０．４ｍｍ以下であることが好ましく、より好ましくは０．２５ｍｍ以上０．３８ｍｍ以下であり、さらに好ましくは０．３ｍｍ以上０．３５ｍｍ以下である。カバー４の厚みが０．２ｍｍ以上であると、カバー４の耐久性、耐候性、耐衝撃性が高くなるからである。一方、０．４ｍｍ以下であると、カバー４の重量が重くなりすぎず、利便性に優れるからである。
【００３９】
図６は、カバー４に取り付けられる把持部４２を示したものである。図６に示すように側面部４１には、樹脂製の材料で構成された一対の把持部４２が設けられている。使用者は、カバー４を本体部２に取り付け、当該一対の把持部４２を把持することで、気体封入部２１に気体を注入した後であっても、スポーツ練習具１を容易に持ち運ぶことができる。一対の把持部４２は、それぞれがカバー４の略円形の開口の直径線上に位置するように配され、側面部４１の開口の縁の近傍に設けられている。一対の把持部４２を構成する樹脂としては、例えばポリ塩化ビニルの他、ポリエチレン（ＰＥ）、ポリプロピレン（ＰＰ）、ポリアミド（ＰＡ）、ポリウレタン（ＰＵ）、ポリエステル（ＰＥｓ）、ポリ塩化ビニリデン（ＰＶＤＣ）、エチレン−酢酸ビニル共重合体樹脂、エチレン−アクリル酸エステル共重合体樹脂等が挙げられる。中でも、耐久性、耐候性、耐衝撃性等に優れるポリ塩化ビニルが好ましい。
【００４０】
一対の把持部４２は、使用者が把持する部分であるグリップ部４２ａと、略長方形の板状に形成された基部４２ｂと、を備えて構成されている。グリップ部４２ａは、略角柱状の部材を略Ｃ字状になるように湾曲させ、両端部を基部４２ｂに固定した部分である。基部４２ｂは、一対の把持部４２を側面部４１に固定するための部分である。一対の把持部４２は、側面部４１に形成されたグリップ部４２ａを挿通可能な孔に、側面部４１の内側面からグリップ部４２ａを挿通させ、対向する、基部４２ｂの側面部４１に接する面と、側面部４１の内側面と、を熱圧着することによりカバー４に固定されて取り付けられる。
【００４１】
図５に示すように、カバー４は、カバー４内の底面４３に配される錘部４４を備えており、当該錘部４４は、カバー４に着脱可能に設けられている。錘部４４は、表面と裏面との中心部に貫通孔が形成された円盤状、つまり、リング形状に形成された袋体内に、例えば水、砂、砂鉄等を注入することにより形成され、本体部２にカバー４を取り付けた際に、重心部２２と共にスポーツ練習具１の錘の役目を果す。錘部４４は、その外径が側面部４１の内径と同じかそれよりやや小さく形成されており、外周面が側面部４１の内面に接してそれらの形状に沿うように底面４３に配されている。錘部４４の厚みは、側面部４１の高さ方向のうち底面４３寄りの１／１０以上１／３以下となるよう構成されている。
【００４２】
錘部４４は、柔軟な可撓性を有する樹脂製のシートにより形成されている。錘部４４を構成する樹脂製のシートとしては、例えば、ポリ塩化ビニル（ＰＶＣ）製のシートの他、ポリエチレン（ＰＥ）、ポリプロピレン（ＰＰ）、ポリアミド（ＰＡ）、ポリウレタン（ＰＵ）、ポリエステル（ＰＥｓ）、ポリ塩化ビニリデン（ＰＶＤＣ）、エチレン−酢酸ビニル共重合体樹脂、エチレン−アクリル酸エステル共重合体樹脂製のシート等が挙げられる。中でも、耐久性、耐候性、耐衝撃性等に優れることからポリ塩化ビニル製のシートが好ましい。また、樹脂製のシートの表面には、耐久性、耐候性、耐衝撃性などを向上させるために、適宜な薬剤を用いて表面にコーティング処理を施す等してもよい。
【００４３】
次に、本実施形態に係るスポーツ練習具１の組み立て方法について説明する。まず、貫通孔２４を介して重心部２２の内部に水を注入し、重心部２２内が水で満たされたら貫通孔２４を塞ぐ。次に、錘部４４を備えたカバー４を本体部２の下側に取り付ける。次に、気体封入部２１の貫通孔２６を介して気体封入部２１内に空気を注入し、気体封入部２１内がやや空気で満たされてきたら、表示部３の内周面と本体部２の側面２５とが対向するように、表示部３に本体部２を挿通する。そして、気体封入部２１内をさらに空気で満たし、本体部２を完全に膨張させ、貫通孔２６を塞ぐ。この時、本体部２は膨張した状態であり、本体部２は、表示部３と側面部４１をその内面側から押圧した状態となっており、表示部３とカバー４は本体部２の側面２５に支持された状態となっている。また、膨張した本体部２の底部２３は、錘部４４の形状に沿って、つまり、錘部４４の貫通孔に対応する部分が貫通孔内に入り込むように、錘部４４に当接した状態となっている。
【００４４】
また、カバー４を取り外す場合には、気体封入部２１内の空気を少し抜き、膨張をやや緩和させることにより、本体部２のカバー４の押圧を緩める。これにより本体部２からカバー４を取り外すことができる。
【００４５】
本実施形態に係るスポーツ練習具１は、本体部２の下側を覆うように取り付けられるカバー４を備えている。このような構成により、本体部２の下側を補強することができる。従って、練習の際に使用者が本体部２の下側を踏みつけてしまうことや、グラウンドの障害物（例えば小石など）により生じる本体部２の破損の発生を抑制することができるため、スポーツ練習具１の耐久性を向上させることができる。
【００４６】
また、本実施形態に係るスポーツ練習具１は、カバー４が、繊維の織物の両面にポリ塩化ビニル樹脂を積層して成るターポリン製のシートにより形成されている。このような構成により、カバー４は耐久性、耐候性、耐衝撃性に優れ、また、本体部２の補強性に優れる。また、カバー４がこのような構成を有するため、カバー４を備えるスポーツ練習具１は、本体部２が破損しにくく、耐久性に優れる。
【００４７】
また、本実施形態に係るスポーツ練習具１は、カバー４の側面部４１が、一対の把持部４２を備えている。このような構成により、カバー４を本体部２に取り付けることで、気体封入部２１に気体を注入した後であっても、大きくて持ち手がないために運びにくい本体部２を間接的に持つことができる。従って、スポーツ練習具１を容易に運ぶことができ、利便性に優れる。
【００４８】
また、本実施形態に係るスポーツ練習具１は、カバー４の把持部４２が、カバー４の側面部４１に熱圧着により取り付けられている。このような構成により、一般的な把持部を縫製によりカバー４に取り付けるのに比して、取り付けが容易となる。また、熱圧着により、カバー４に固定されるため、一対の把持部４２と側面部４１とが一体となり、接合部分における強度にも優れる。
【００４９】
また、本実施形態に係るスポーツ練習具１は、カバー４が、本体部２の膨張によって、カバー４の内側から押圧されることにより、本体部２の側面２５に支持される構成となっている。このような構成により、カバー４が、本体部２から外れにくく、カバー４と本体部２とが一体となる。従って、本体部２が転倒等した際に、カバー４が本体部２から外れにくく、カバー４を再度本体部２に取り付ける必要がないため、効率よく練習することができる。
【００５０】
また、本実施形態に係るスポーツ練習具１は、カバー４の錘部４４が、重心部２２と共にスポーツ練習具１の錘の役目を果す。このような構成により、スポーツ練習具１の直立姿勢をより安定して保つことが可能となる。さらに、練習の際に最も踏みつけられやすいのが側面部４１のうち底面４３寄りの部分であるが、錘部４４が配されていることにより、その衝撃を錘部４４で吸収し、本体部２にかかる衝撃を抑制することができる。また、錘部４４は、カバー４に着脱可能に設けられている。このような構成により、錘が不要な場合やカバー４の持ち運びの際には錘部４４を外すことができ、また、カバー４内に配する錘部４４の数を変えることにより錘の重さを変えることが可能となる。さらに、錘部４４は、表面と裏面との中心部に貫通孔が形成された円盤状に形成されている。このような構成により、本体部２が膨張した際に、その底部２３の貫通孔に対応する部分が貫通孔内に入り込んで引っ掛かるため、錘部４４上での本体部２の安定性が高まる。
【００５１】
なお、上記実施形態は本発明の代表的な形態を示したに過ぎず、本発明は、当該実施形態に限定されるものではない。即ち、当業者は、従来公知の知見に従い、本発明の骨子を逸脱しない範囲で種々変形して実施することができる。かかる変形によってもなお本発明のスポーツ練習具の構成を具備する限り、勿論、本発明の範疇に含まれるものである。
【００５２】
例えば、上記実施形態においては、スポーツ練習具１が、本体部２に気体が注入された状態で水平面に載置された場合、長さ方向が水平面に対し略垂直となる構成としたが、これに限定されることはなく、例えば、用途に合わせて水平面に対し略垂直ではなく傾くように構成されていてもよく、本体部２が偏在した重心を有さない構成としてもよい。
【００５３】
また、上記実施形態においては、本体部２は膨張後の形状が略円柱形状となる構成としたがこれに限定されることはなく。例えば、本体部２は四角柱や三角柱に形成されていてもよい。
【００５４】
ところで、図８は、従来使用されているトレーニング用バルーン１０を示したものであり、内部に存する気体により人型に形成されている。このようなトレーニング用バルーンにおいては、人型を形成するために側面に立体的に凹凸が形成されており、安定性を高めるため最下部が幅広に膨らんでいる。このような形状である場合、練習に際し、使用者が側面の凹凸に引っ掛かったり、膨らんでいる箇所を踏んでしまうことがあり、それによりトレーニングバルーンが破損するという問題があった。
【００５５】
そのため、本体部２の側面２５に凹凸が形成されていないことが好ましい。また、本体部２の気体封入部２１が、気体が注入されることにより、気体封入部２１の一方の底部２３側（長さ方向下側の底部）に向かうに従ってその周面の円周の長さが短くなるように、つまり逆円錐台形状に形成されていることがより好ましい（図７）。このような構成により、スポーツ練習具１は、グラウンドなどの水平面に置いた場合に、下側に向かうに従って窄まった形状となり、練習の際に使用者が本体部２の下側を踏みつけてしまうことによる破損を抑制することができる。
【００５６】
また、上記逆円錐台に形成した気体封入部２１の他方の底部に突出部２８を設けることが好ましい。このような構成により、スポーツ練習具１の形状がより人間に近いものとなる。
【００５７】
また、上記実施形態においては、気体封入部２１には空気が注入される構成としたが、気体であればこれに限定されることはなく、空気以外の気体でもよく、例えばヘリウムガスなどであってもよい。
【００５８】
さらに、上記実施形態においては、本体部２が重心部２２を備える構成としたが、これに限定されることはなく、重心部２２を有さない構成としてもよく、他の方法により、本体部２が偏在した重心を有する構成としてもよい。また、本体部２が重心部２２を有さない構成とし、錘部４４を備えたカバー４を用いて、錘部４４がスポーツ練習具１の錘の役目を果す構成としてもよい。
【００５９】
また、上記実施形態においては、重心部２２が、気体封入部２１（底部２３）とは独立した袋体であり、重心部２２の一部を底部２３に圧着させることにより、底部２３に固定され、側面２５とは隙間を設けて配されている構成としたが、これに限定されることはない。例えば、気体封入部２１の内部空間のうち下側を仕切り部で仕切ることにより形成された空間に例えば水等が注入されることにより形成されている構成としてもよい。また、例えば、重心部２２に砂や砂鉄などを入れて構成してもよい。
【００６０】
また、上記実施形態においては、スポーツ練習具１は表示部３を１つだけ備える構成としたが、これに限定されることはなく、２以上の表示部３を用いてもよく、例えば２つの表示部３を本体部２において上下方向に並べて巻き付けてもよい。
【００６１】
また、上記実施形態においては、スポーツ練習具１の組み立て方法について、重心部２２内を水で満たした後、気体封入部２１内がやや空気で満たされてきたら、表示部３の内周面と本体部２の側面２５とが対向するように、表示部３に本体部２を挿通し、その後、本体部２を完全に膨張させる構成としたが、これに限定されることはない。例えば、本体部２が完全に膨張してから表示部３を取り付けてもよく、本体部２が膨張してから重心部２２内を水で満たしてもよい。
【００６２】
また、上記実施形態においては、カバー４は、本体部２の下側の外形に沿うように形成されており、本体部２の膨張によって、カバー４の内側から押圧されて本体部２の側面２５に支持される構成としたが、これに限定されることはない。例えば、カバー４は、本体部２の下側の外形に沿うものでなくてもよく、本体部２の膨張によって、本体部２の側面２５に支持されなくてもよい。
【００６３】
また、上記実施形態においては、カバー４は、繊維の織物の両面にポリ塩化ビニル樹脂を積層して成るターポリン製のシートにより形成される構成としたが、耐久性、耐候性、耐衝撃性等に優れた樹脂製のシートであればこれに限定されることはなく、例えば、繊維の織物を用いないポリ塩化ビニル製のシートを用いてもよく、繊維の織物の片面にポリ塩化ビニル樹脂を積層して成るターポリン製のシートを用いてもよい。また、繊維の織物の両面又は片面にポリ塩化ビニル樹脂以外の他の樹脂、例えば、ポリエチレン（ＰＥ）、ポリプロピレン（ＰＰ）、ポリアミド（ＰＡ）、ポリウレタン（ＰＵ）、ポリエステル（ＰＥｓ）、ポリ塩化ビニリデン（ＰＶＤＣ）、エチレン−酢酸ビニル共重合体樹脂、エチレン−アクリル酸エステル共重合体樹脂等を積層して成るターポリン製のシートを用いてもよい。また、ターポリンの表面には、耐久性、耐候性、耐衝撃性などを向上させるために、適宜な薬剤を用いて表面にコーティング処理を施す等してもよい。
【００６４】
また、上記実施形態においては、カバー４は、樹脂製の材料で構成された一対の把持部４２を備える構成としたが、これに限定されることはなく、例えば、樹脂製の材料で構成されていなくてもよく、また、一対の把持部４２を備えていなくてもよい。さらに、一対の把持部４２は、それぞれがカバー４の略円形の開口の直径線上に位置するように配され、側面部４１の開口の縁の近傍に設けられている構成としたが、これに限定されることはない。
【００６５】
また、上記実施形態においては、一対の把持部４２が、基部４２ｂと側面部４１の内側面とを熱圧着することによりカバー４に固定される構成としたが、これに限定されることはなく、例えば接着剤などの一般的な固定方法により固定してもよい。
【００６６】
また、上記実施形態においては、カバー４は、表示部３が備えられた本体部２に取り付けられる構成としたが、これに限定されることはなく、表示部３が備えられていない本体部２に取り付けられる構成としてもよい。
【００６７】
上記実施形態においては、カバー４は、錘部４４を備える構成としたが、これに限定されることはなく、錘部４４を設けない構成としてもよい。また、錘部４４は、カバー４に着脱可能に設けられる構成としたが、これに限定されることはなく、カバー４の底面４３に固定される構成としてもよい。さらに、錘部４４は、表面と裏面との中心部に貫通孔が形成された円盤状としたが、これに限定されることはなく、貫通孔が設けられていない円盤状の構成としてもよい。また、カバー４に備えられる錘部４４は、１つに限定されることはなく、複数であってもよい。
【符号の説明】
【００６８】
１        スポーツ練習具
２        本体部
３        表示部
３１      外周面
４        カバー
４１      側面部
４２      把持部
４４      錘部
【図１】
2017164449.tif 000003
【図２】
2017164449.tif 000004
【図３】
2017164449.tif 000005
【図４】
2017164449.tif 000006
【図５】
2017164449.tif 000007
【図６】
2017164449.tif 000008
【図７】
2017164449.tif 000009
【図８】
2017164449.tif 000010